(57)【要約】【課題】  表示装置全体としての厚みを増加させることなくゲッタルームを設置して信頼性を高めた画像表示装置を提供する。【解決手段】  背面基板ＳＵＢ１と前面基板ＳＵＢ２を貼り合せる封止枠MFLの近傍で、背面基板ＳＵＢ１と前面基板ＳＵＢ２との間に介在させて、気密封止した内部に開口する開口部ＡＰを有するゲッタルームＧＢＸを設ける。ゲッタルームＧＢＸ内にゲッタ（図示せず）を収納しておき、真空容器内を真空ポンプ等で真空引きした後、真空容器の外部からゲッタを加熱して残留ガスを吸着させる。【選択図】    図１
2006179296.tif 000002
【特許請求の範囲】
【請求項１】
複数の電子放出源が形成された背面基板と、前記背面基板の前記電子放出源の形成面と対向する内面に陽極及び蛍光体が形成された前面基板とを所定の間隔をもって対向配置し、前記背面基板と前記前面基板との外周内縁に封止枠を介在して貼り合され、内部を気密封止された真空容器を有する画像表示装置であって、
前記封止枠近傍で、前記背面基板と前記前面基板との間に介在させて、前記気密封止した内部に開口する開口部を備えたゲッタルームを有することを特徴とする画像表示装置。
【請求項２】
前記ゲッタルームは、前記封止枠に一部を割り込んで設置されていることを特徴とする請求項１に記載の画像表示装置。
【請求項３】
前記ゲッタルームは、６面で構成された箱形状を有し、前記６面の１面に前記開口部を備えたことを特徴とする請求項２に記載の画像表示装置。
【請求項４】
前記ゲッタルームは、３面以上で構成された枠形状部と、前記背面基板と前記前面基板とで構成され、前記枠形状部に前記開口部を備えたことを特徴とする請求項２に記載の画像表示装置。
【請求項５】
前記ゲッタルームの３面以上で構成された枠形状部が前記封止枠の一部に一体的に形成されていることを特徴とする請求項１に記載の画像表示装置。
【請求項６】
前記背面基板と前記前面基板で前記ゲッタルームの２面が形成されていることを特徴とする請求項５に記載の画像表示装置。
【請求項７】
前記真空容器は矩形の平面形状を有し、前記ゲッタルームが前記矩形の真空容器の１辺に設置されていることを特徴とする請求項１乃至６の何れかに記載の画像表示装置。
【請求項８】
前記真空容器は矩形の平面形状を有し、前記ゲッタルームが前記矩形の真空容器の２辺に設置されていることを特徴とする請求項１乃至６の何れかに記載の画像表示装置。
【請求項９】
前記真空容器は矩形の平面形状を有し、前記ゲッタルームが前記矩形の真空容器の３辺以上に設置されていることを特徴とする請求項１乃至６の何れかに記載の画像表示装置。
【請求項１０】
前記真空容器は、前記矩形の真空容器の辺に複数個宛設置されていることを特徴とする請求項１乃至９の何れかに記載の画像表示装置。
【請求項１１】
前記電子放出源が電界放出型であることを特徴とする請求項１乃至１０の何れかに記載の画像表示装置。
【発明の詳細な説明】
【技術分野】
【０００１】
本発明は、画像表示装置に係り、特に画像表示装置を構成する真空容器内の真空度を高めるためのゲッタ装置の配置構造に好適なものである。
【背景技術】
【０００２】
電子を蛍光面に衝突させて発光させて表示する画像表示装置の一種に、電界放出型電子源を備えた電界放出型画像表示装置(Field Emission Display)や表面伝導型電子源を備えた表面伝導型画像表示装置に代表される平板型画像表示装置がある。平板型画像表示装置は、複数の電子放出源が形成された背面基板と、前記背面基板の前記電子放出源の形成面と対向する内面に陽極及び蛍光体が形成された前面基板とを所定の間隔をもって対向配置し、前記背面基板と前記前面基板との外周内縁に封止枠を介在して貼り合され、内部を気密封止された真空容器で構成される。この種の画像表示装置は、表示装置を構成する真空容器の内部を高真空度に保持することが必要である。その１手段として、真空容器の一部にゲッタを配置し、真空ポンプによる真空引きの後にゲッタを加熱して残留しているガスを吸着させることでさらに高真空度となるようにしている。
【０００３】
従来の平板型画像表示装置では、真空容器内の背面基板上の電子源が形成された面と同一面上にゲッタルームを配置し、あるいは背面基板の背中にゲッタルームを固着して設け、ゲッタルームと背面基板の間を該背面基板に設けた孔で連通させていた。電子源と同一面上にゲッタを設けると、表示領域部の面積を小さく形成するか、またはゲッタを設ける部分のみ領域を大きく形成しなければならない。背面基板の背中にゲッタルームを設けたものでは、画像表示装置としての厚さがその分厚くなり、薄型表示装置としての商品価値を減殺させ、また加工工数も増加してコスト高となる。さらに、ゲッタを活性環境（電子源を設けた空間）内に配置すると、電子源の電子放出部がゲッタ膜により被覆され、電子放出能力が減少してしまう。
【０００４】
図１３は、画像表示装置における従来のゲッタルームの設置例を説明するための模式断面図である。この画像表示装置は、複数の電子放出源（以下、カソード、あるいは電子源とも称する。図示せず）を形成した背面基板ＳＵＢ１と、背面基板の電子源の形成面と対向する内面に陽極（アノード）及び蛍光体が形成された前面基板ＳＵＢ２とを所定の間隔をもって対向配置し、背面基板と前記前面基板との外周内縁に封止枠ＭＦＬを介在して貼り合され、真空容器を構成している。真空容器の内部には、背面基板ＳＵＢ１と前面基板ＳＵＢ２とを所定の間隔に保持するための複数のスペーサＳＰＣが設置されている。なお、封止枠ＭＦＬと背面基板ＳＵＢ１および前面基板ＳＵＢ２とは、フリットガラスＦＴで固着されている。
【０００５】
背面基板ＳＵＢ１の背中の一部にゲッタルームＧＢＸがフリットガラスＦＴで固着してある。ゲッタルームＧＢＸは天井板の無い矩形の箱状であり、背面基板ＳＵＢ１に開けた孔ＡＰで真空容器の内部と連通している。ゲッタルームＧＢＸの中にゲッタ（図示せず）を収納しておき、真空容器の内部を真空ポンプ等による真空引きの後に、真空容器の外部からゲッタルームＧＢＸの中のゲッタを加熱して残留しているガスを開口部ＡＰを通して吸着させることでさらに高真空度を達成する。
【０００６】
ゲッタルームをディスプレイ装置の表示面側に結合して設けたものに関しては特許文献１を、また、ゲッタルームをディスプレイ装置の背面側に結合して設けたものに関しては特許文献２を挙げることができる。
【特許文献１】特開２００３−５２８４２２号公報
【特許文献２】特開平９−１２９１６１号公報
【発明の開示】
【発明が解決しようとする課題】
【０００７】
特許文献１には、補助チャンバー（ゲッタルーム）にゲッタを配置することにより、電子放出部がゲッタに曝されない構造の画像表示装置が開示されている。しかしながら、このような構成による画像表示装置は、画像表示装置としての厚さを低減するものでなく、加工工数を低減して低コスト化を図るものでもない。
【０００８】
本発明の目的は、表示装置全体としての厚みを増加させることなく、信頼性を高めた画像表示装置を提供することにある。
【課題を解決するための手段】
【０００９】
上記目的を達成するために、本発明は、複数の電子放出源が形成された背面基板と、この背面基板の電子放出源形成面と対向する内面に陽極及び蛍光体が形成された前面基板とが所定の間隔を有して対向配置され、背面基板と前面基板との間が気密封止されて形成された真空容器で画像表示装置を構成する。そして、封止枠近傍で、背面基板と前面基板との間に介在させて、気密封止した内部に開口する開口部を有するゲッタルームを設けた。このゲッタルーム内にゲッタを収納しておき、真空容器内を真空ポンプ等で真空引きした後、真空容器の外部からゲッタを加熱して残留ガスを吸着させる。
【００１０】
また、本発明は、封止枠にゲッタルームの一部を割り込んで設置することができる。このゲッタルームは、６面で構成された箱形状とするのが好ましく、その６面の１面に開口部を設けることができる。言うまでも無く、開口部を設ける1面は真空容器の内部に望んで位置する面である。
【００１１】
なお、ゲッタルームは３面以上で構成された枠形状部と、背面基板と前面基板とで構成され、枠形状部に開口部を備えたものとすることもできる。そして、３面以上で構成された枠形状部を封止枠の一部に一体的に形成することもできる。
【００１２】
さらに、背面基板と前面基板でゲッタルームの２面（底面と天井面）を構成することもできる。
【００１３】
表示装置を構成する真空容器は矩形の平面形状を有しているのが通例である。ゲッタルームは、この矩形の真空容器の１辺、２辺（対向する２辺、又は隣接する２辺）、３辺、または全辺に１個又は複数個宛設置することもできる。
【００１４】
なお、本発明は、上記各構成及び後述する実施の形態に記載される構成に限定されるものではなく、本発明の技術思想を逸脱することなく、種々の変更が可能であることは言うまでもない。
【発明の効果】
【００１５】
本発明によれば、表示装置全体としての厚みを増加させることがないので、平面型画像表示装置としての商品価値が向上する。封止枠や基板と同様のガラス材で構成することでゲッタ加熱と冷却による亀裂等の発生で封止部の破壊が抑制される。また、封止枠の設置時にゲッタルームが同時設置されるため、製造工数が著しく低減され、信頼性を高めた画像表示装置を提供することができる。
【発明を実施するための最良の形態】
【００１６】
以下、本発明の具体的な実施の形態について、実施例の図面を参照して詳細に説明する。
【実施例１】
【００１７】
図１は、本発明による画像表示装置の実施例１を説明する図である。図１（a）は前面基板側から見た平面図を、図１（b）は図１（a）のＡ−Ａ'線に沿った断面図を示す。画像表示装置は、複数の電子放出源が形成された背面基板ＳＵＢ１と、この背面基板ＳＵＢ１の電子放出源形成面（内面）と対向する内面に陽極及び蛍光体が形成された前面基板ＳＵＢ２とをスペーサＳＰＣで所定の間隔で対向配置し、背面基板ＳＵＢ１と前面基板ＳＵＢ２の貼り合せ外周の内縁に封止枠ＭＦＬをフリットガラスＦＴでの固着で介在させ、気密封止した真空容器を構成する。
【００１８】
そして、封止枠ＭＦＬの近傍において、背面基板ＳＵＢ１と前面基板ＳＵＢ２との間に介在させて、気密封止した内部に開口する開口部ＡＰを有するゲッタルームＧＢＸを設けた。このゲッタルームＧＢＸ内にゲッタ（図示せず）を収納しておき、真空容器内を真空ポンプ等で真空引きした後、真空容器の外部からゲッタを加熱して残留ガスを吸着させる。
【００１９】
この画像表示装置では、y方向（図１（a）の上下方向）にデータ信号配線が延在してx方向（図１（a）の左右方向）に多数並設されている。また、データ信号配線と交差するx方向に走査信号線が延在してy方向多数並設されている。実施例１は、走査信号線への駆動信号を図１（a）の左右両側の辺に搭載したゲートドライバＧＤＲ（１）とＧＤＲ(２)から印加する方式である。データ信号配線は図１（a）の上側に搭載したデータドライバＤＤＲで駆動される。そのため、封止の信頼性の観点から、ゲッタルームＧＢＸは引き出し配線の無い図の下側の辺に設置するのが好適である。なお、説明を簡単にするため、図１（a）にはゲートドライバとデータドライバは各辺に一個のみを示した。
【００２０】
薄い板ガラス等からなるスペーサＳＰＣは走査信号線の上に、当該走査信号線の長手方向に沿って幅方向がｚ方向になるように植立され、背面基板ＳＵＢ１と前面基板ＳＵＢ２の間隙を所定値に維持する。図１（a）では、各走査信号線の長手方向に沿って３枚のスペーサＳＰＣを設置しているが、これは一例に過ぎず、配置数、間隔等は、画像表示装置の表示面のサイズ、背面基板ＳＵＢ１と前面基板ＳＵＢ２の材料、その板厚、解像度、等により決定される。
【００２１】
ゲッタルームＧＢＸは、図３で後述するように、好ましくは封止枠と同様のガラス材で形成され、６面で構成された薄い箱形状を有し、箱形状の６面の内、真空容器内に臨んだ１面に開口部ＡＰを備えている。そして、箱形状の底面と天井面にフリッとガラスＦＴで固着されている。したがって、ゲッタルームＧＢＸは封止枠の一部を構成していると言うことができる。
【００２２】
実施例１の構成により、表示装置全体としての厚みを増加させることがなく、平面型画像表示装置としての商品価値が向上する。また、封止枠や基板と同様のガラス材で構成することでゲッタ加熱と冷却による亀裂等の発生で封止部の破壊が抑制される。さらに、封止枠の設置時にゲッタルームが同時設置されるため、製造工数が著しく低減され、信頼性を高めた画像表示装置を提供することができる。
【実施例２】
【００２３】
図２は、本発明による画像表示装置の実施例２を説明する図である。図２（a）は前面基板側から見た平面図を、図２（b）は図２（a）のＢ−Ｂ'線に沿った断面図を示す。実施例２の表示装置は、走査信号線への駆動信号を図２（a）の左側の一辺に搭載したゲートドライバＧＤＲから印加する方式である。データ信号線は図２（a）の上側に搭載したデータドライバＤＤＲで駆動される。そのため、封止の信頼性の観点から、ゲッタルームＧＢＸは引き出し配線の無い図の下側の辺に設置するのが好適である。なお、説明を簡単にするため、図２（a）にはゲートドライバとデータドライバは各一個のみを示した。
【００２４】
実施例１と同様に、薄い板ガラス等からなるスペーサＳＰＣは走査信号線の上に、当該走査信号線の長手方向に沿って幅方向がｚ方向になるように植立され、背面基板ＳＵＢ１と前面基板ＳＵＢ２の間隙を所定値に維持する。図２（a）では、各走査信号線の長手方向に沿って３枚のスペーサＳＰＣを設置しているが、これは一例に過ぎず、配置数、間隔等は、画像表示装置の表示面のサイズ、背面基板ＳＵＢ１と前面基板ＳＵＢ２の材料、その板厚、解像度、等により決定される。
【００２５】
ゲッタルームＧＢＸは、実施例１と同様に、６面で構成された薄い箱形状を有し、箱形状の６面の内、真空容器内に臨んだ１面に開口部ＡＰを備えている。そして、箱形状の底面と天井面にフリッとガラスＦＴで固着されている。したがって、ゲッタルームＧＢＸは封止枠の一部を構成していると言うことができる。
【００２６】
実施例２の構成により、表示装置全体としての厚みを増加させることがなく、平面型画像表示装置としての商品価値が向上する。また、封止枠や基板と同様のガラス材で構成することでゲッタ加熱と冷却による亀裂等の発生で封止部の破壊が抑制される。さらに、封止枠の設置時にゲッタルームが同時設置されるため、製造工数が著しく低減され、信頼性を高めた画像表示装置を提供することができる。
【００２７】
図３は、実施例１及び実施例２におけるゲッタルームの一構成例を説明する斜視図である。ゲッタルームＧＢＸは、封止枠ＭＦＬと同様のガラス材で形成され、６面で構成された薄い箱形状を有し、箱形状の６面の内の真空容器内に臨んだ１面に開口部ＡＰを備えている。そして、箱形状の底面と天井面にフリッとガラスＦＴで固着されている。このゲッタルームＧＢＸは封止枠の一部を構成する。図３に示したゲッタルームＧＢＸは、一枚の薄いガラス板を断面がコ字状に屈曲して底面ＰＡと天井板ＰＢ及び背板ＰＤを形成する。これに側板ＰＣ１とＰＣ２を組み合わせて開口部ＡＰを有する箱形状とする。これを、図１、図２で説明したように封止枠の一部に割り込ませて一体に設置する。
【実施例３】
【００２８】
図４は、本発明による画像表示装置の実施例３を説明するためのゲッタルームの他の構成例を説明する図である。図４（a）はゲッタルームを設置した背面基板の要部平面図、図４（a）はゲッタルームの斜視図である。このゲッタルームは、封止枠ＭＦＬと同様のガラス材で形成された枠形状部ＰＥと、背面基板ＳＵＢ１と前面基板ＳＵＢ２とで構成され、枠形状部ＰＥに開口部ＡＰを備えている。ここでは4面からなる四角形の枠形状部ＰＥとして示したが、３面（三角形）、５面（五角形）、あるいはそれ以上の多面の枠形状部、曲面の枠形状部とすることもできる。
【００２９】
この枠形状部ＰＥを、その開口部ＡＰが真空容器の内部に臨むように位置させ、背面基板ＳＵＢ１と前面基板ＳＵＢ２の貼り合せ外周の間に封止枠ＭＦＬとともに設置し、フリットガラスで固着する。これにより、枠形状部ＰＥの底面は背面基板ＳＵＢ１で、天井面は前面基板ＳＵＢ２で形成されたゲッタルームが構成される。他の構成は実施例１、実施例２と同様である。
【００３０】
実施例３により、表示装置全体としての厚みを増加させることがなく、平面型画像表示装置としての商品価値が向上する。また、封止枠や基板と同様のガラス材で構成することでゲッタ加熱と冷却による亀裂等の発生で封止部の破壊が抑制される。さらに、封止枠の設置時にゲッタルームが同時設置されるため、製造工数が著しく低減され、信頼性を高めた画像表示装置を提供することができる。
【実施例４】
【００３１】
図５は、本発明による画像表示装置の実施例４を説明するためのゲッタルームの他の構成例を説明する図である。実施例４では、実施例３と同様の枠形状部ＰＦを封止枠ＭＦＬの一部に一体的に形成したものである。そして、背面基板ＳＵＢ１と前面基板ＳＵＢ２の貼り合せ外周の間に枠形状部ＰＦを形成した封止枠ＭＦＬを設置し、フリットガラスで固着する。これにより、枠形状部ＰＦの底面は背面基板ＳＵＢ１で、天井面は前面基板ＳＵＢ２で形成されたゲッタルームが構成される。他の構成は実施例１乃至実施例３と同様である。
【００３２】
実施例４により、表示装置全体としての厚みを増加させることがなく、平面型画像表示装置としての商品価値が向上する。また、封止枠や基板と同様のガラス材で構成することでゲッタ加熱と冷却による亀裂等の発生で封止部の破壊が抑制される。さらに、封止枠の設置時にゲッタルームが同時設置されるため、製造工数が著しく低減され、製造が容易な信頼性を高めた画像表示装置を提供することができる。
【００３３】
図６乃至図８は、本発明におけるゲッタルームの様々な設置態様を説明する背面基板の平面図である。図６は、矩形の表示装置の各辺の中央部近傍に実施例１又は実施例２で説明したゲッタルームの何れかを設置した状態を示す。図７は、矩形の表示装置の各辺の隅部近傍に実施例１又は実施例２で説明したゲッタルームの何れかを設置した状態を示す。図８は、矩形の表示装置の各辺の隅部近傍に実施例３又は実施例４で説明したゲッタルームの何れかを設置した状態を示す。
【００３４】
図６、図８では、各辺に一個のゲッタルームを設置したものとして示したが、これに限らず、ゲッタの必要量に応じて、辺ごとに複数のゲッタルームを設置することができる。また図６、図７、図８を適宜に組み合わせ、設置する数、大きさをゲッタの必要量に応じて選択することもできる。
【００３５】
図９は、本発明の画像表示装置の典型例としてのＭＩＭ型薄膜電子源を用いた画像表示装置のさらに詳細な模式平面図である。なお、図９では、主として電子源を有する一方のガラス基板（陰極基板）すなわち背面基板ＳＵＢ１の平面を示すが、蛍光体や陽極を形成した他方のガラス基板（蛍光体基板、表示側基板、カラーフィルタ基板などとも称する）とした前面基板に有するブラックマトリクスＢＭと蛍光体ＰＨ（Ｒ），ＰＨ（Ｇ），ＰＨ（Ｂ）および陽極ＡＤを部分的に示し、前面基板自体は図示していない。
【００３６】
背面基板ＳＵＢ１には、データ信号線駆動回路ＤＤＲに接続するデータ信号線ＤＬ、絶縁層ＩＮＳ１でデータ信号線ＤＬと絶縁して交差配置されて走査信号線駆動回路ＧＤＲに接続した走査信号線ＧＬ等が形成されている。データ信号線ＤＬを第１の電極とし、トンネル絶縁層を介して積層した走査信号線ＧＬの薄膜電極を第２の電極とする複数の電子源ＥＬＳが電子源アレイとして配置される。なお、符号ＤＬＴはデータ信号線ＤＬの引き出し端子、ＧＬＴは走査信号線ＧＬの引き出し端子を示す。
【００３７】
前面基板に有する蛍光体ＰＨ（Ｒ），ＰＨ（Ｇ），ＰＨ（Ｂ）は背面基板ＳＵＢ１の個々の電子源ＥＬＳと対向している。この前面基板と背面基板ＳＵＢ１の間をスペーサＳＰＣで所定の間隙に規制されている。薄膜電極（電子源ＥＬＳの上部電極）は、分離部ＳＥＰで隣接する電子源アレイの走査信号線と電気的に分離されている。
【００３８】
図１０は、図９に示した本発明による画像表示装置の全体構造の一例をさらに説明する一部破断して示す斜視図である。また、図１１は、図１０のＡ−Ａ’線に沿って切断した断面図である。背面基板ＳＵＢ１の内面にはデータ信号線DＬと走査信号線ＧＬを有し、データ信号線ＤＬと走査信号線ＧＬの交差部分に電子源が形成されている。データ信号線ＤＬの端部にはデータ信号線の引き出し端子ＤＬＴが形成され、走査信号線ＧＬの端部には走査信号線引き出し端子ＧＬＴが形成されている。
【００３９】
前面基板ＳＵＢ２の内面には陽極ＡＤと蛍光体層ＰＨが形成されている。背面基板ＳＵＢ１と前面基板ＳＵＢ２とは、その周縁部の内側に封止枠ＭＦＬを介在させて貼り合わされる。この貼り合わせた間隙を所定値に保持するため、背面基板ＳＵＢ１と前面基板ＰＮＬ２の間にガラス板を好適とする隔壁ＳＰＣを植立させていることは前記したとおりである。図１１はこの隔壁ＳＰＣに沿った断面なので、隔壁ＳＰＣは図示を省略してある。
【００４０】
封止枠ＭＦＬの近傍には実施例で説明したゲッタルームが設置されている。背面基板ＳＵＢ１と前面基板ＳＵＢ２および封止枠ＭＦＬで密封された内部空間を、背面基板ＳＵＢ１の一部に設けた排気管ＥＸＣから排気して所定の真空状態にする。その後、ゲッタルームの部分を外部から加熱してゲッタに残留ガスを吸着させる。
【００４１】
図１２は、本発明の構成を適用した画像表示装置の等価回路例の説明図である。図１２中に破線で示した領域は表示領域ＡＲであり、この表示領域ＡＲにｎ本のデータ信号線ＤＬとｍ本の走査信号線ＧＬが互いに交差して配置されてｎ×ｍのマトリクスが形成されている。マトリクスの各交差部はカラーの副画素を構成し、図中の３つの単位画素（あるいは、副画素）"Ｒ"，"Ｇ"，"Ｂ"の１グループでカラー１画素を構成する。なお、電子源の構成は図示を省いた。
【００４２】
データ信号線ＤＬは、データ信号線引き出し端子ＤＬＴでデータ信号線駆動回路ＤＤＲに接続される。走査信号線ＧＬは走査信号線引き出し端子ＧＬＴで走査信号駆動回路ＧＤＲに接続されている。データ信号線駆動回路ＤＤＲには外部信号源から画像データ信号ＮＳが入力され、走査信号線駆動回路ＧＤＲには同様に走査信号ＳＳが入力される。
【００４３】
これにより、順次選択される走査信号線ＧＬに交差するデータ信号線ＤＬに表示データ（画像信号）を供給することで、二次元のフルカラー画像を表示することができる。本構成例を用いることにより、比較的低電圧で高効率の自発光平面表示装置が実現される。
【図面の簡単な説明】
【００４４】
【図１】本発明による画像表示装置の実施例１を説明する図である。
【図２】本発明による画像表示装置の実施例２を説明する図である。
【図３】実施例１及び実施例２におけるゲッタルームの一構成例を説明する斜視図である。
【図４】本発明による画像表示装置の実施例３を説明するためのゲッタルームの他の構成例を説明する図である。
【図５】本発明による画像表示装置の実施例４を説明するためのゲッタルームの他の構成例を説明する図である。
【図６】本発明におけるゲッタルームの設置態様を説明する背面基板の平面図である。
【図７】本発明におけるゲッタルームの他の設置態様を説明する背面基板の平面図である。
【図８】本発明におけるゲッタルームのさらに他の設置態様を説明する背面基板の平面図である。
【図９】本発明の画像表示装置の典型例としてのＭＩＭ型薄膜電子源を用いた画像表示装置のさらに詳細な模式平面図である。
【図１０】図９に示した本発明による画像表示装置の全体構造の一例をさらに説明する一部破断して示す斜視図である。
【図１１】図１０のＡ−Ａ’線に沿って切断した断面図である。
【図１２】本発明の構成を適用した画像表示装置の等価回路例の説明図である。
【図１３】画像表示装置における従来のゲッタルームの設置例を説明するための模式断面図である。
【符号の説明】
【００４５】
ＳＵＢ１・・・背面基板、ＳＵＢ２・・・前面基板、ＭＦＬ・・・封止枠、ＦＴ・・・フリッとガラス、ＳＰＣ・・・スペーサ、ＧＢＸ・・・ゲッタルーム、ＡＰ・・・開口部、ＤＤＲ・・・データ線駆動回路、ＧＤＲ・・・走査線駆動回路。
【図１】
2006179296.tif 000003
【図２】
2006179296.tif 000004
【図３】
2006179296.tif 000005
【図４】
2006179296.tif 000006
【図５】
2006179296.tif 000007
【図６】
2006179296.tif 000008
【図７】
2006179296.tif 000009
【図８】
2006179296.tif 000010
【図９】
2006179296.tif 000011
【図１０】
2006179296.tif 000012
【図１１】
2006179296.tif 000013
【図１２】
2006179296.tif 000014
【図１３】
2006179296.tif 000015